(57)【要約】  【課題】化粧用の筆記具に関し、化粧部位が筆記具の持ち手などで隠れないように好みの部位に退避でき、更に安定良く精密な化粧ができ、また点や線、面といった自在な化粧ができる筆記具を実現する。  【解決手段】一度に１以上の描線ができて能率的であり、又は、インク出口が螺旋状に平行しているので、斜めに複数の直線を同時に描ける。そして、前記インク保持部にインク溜め部が接続しているので、インク溜め部からインクが常時供給される。【選択図】図１
2019150573.tif 000002
【特許請求の範囲】
【請求項１】
インクを吸収して保持するインク保持部を合成樹脂から成る支持部で包囲し、楕円を含む円又は円の一部に外形を形成して成る筆記部を１以上有し、又は螺旋状に連続したインク出口を有する構造とし、前記インク保持部に接続したインク溜め部を有することを特徴とする筆記具。
【請求項２】
前記筆記部の楕円を含む円又は円の一部が回転できる構造として、前記インク溜め部を有する軸体を、円筒体から成る把持部に挿入してなることを特徴とする請求項１に記載の筆記具。
【請求項３】
複数のインク保持部の外周に、インクを吸収して保持する面体を巻いて接続し、筆記部が面で接触して塗布する構成とし、又は前記筆記部の向きや角度を変えられるような自在手段を介在させてあることを特徴とする請求項１又は請求項２に記載の筆記具。
【請求項４】
前記インク保持部の外周を閉鎖している密閉面は、互いに独立した複数の突起を有し、それぞれの突起の先端からインクが出るように前記インク保持部と接続していることを特徴とする請求項１、請求項２又は請求項３に記載の筆記具。
【請求項５】
インクの出口が螺旋状に連続した構造を製造するために、耐熱質の螺旋状芯の螺旋面を合成樹脂層で覆ってから前記耐熱芯を取り除き、螺旋状に形成された合成樹脂層の尖端を除去してインクの出口としたことを特徴とする螺旋状筆記部の製造方法。                                                                                                                            
【発明の詳細な説明】
【技術分野】
【０００１】
本発明は、化粧用の筆記手段、例えば眉やアイライン、体毛などを描くのに使用する筆記具に関する。
【背景技術】
【０００２】
ペン軸は筆記面に対し鉛直に立っているため、鏡を見ながら化粧する場合に、ペン軸が邪魔になって肝心な化粧部位が見づらかったり、隠れてしまったり、化粧動作の妨げになるのが欠点である。また、回転構造の筆記ローラで筆記する構造も有るが、前記のようにペン軸が垂直に立っているので、使い辛いという欠点は避けられない。しかも、１本の線状の筆記に限られる。
【先行技術文献】
【特許文献】
【０００３】
【特許文献１】特表2007-536136 号
【発明の概要】
【発明が解決しようとする課題】
【０００４】
特許文献１のように、従来の化粧用の筆記具は、化粧部位と筆記具の持ち手である軸が垂直になるため、本願発明はこのような不便を解消し、化粧部位が見えづらいという欠点を解決したい。また、１本の描線に限らず点や線、面状による接触で自由自在に筆記可能とする。さらに、火傷や闘病によるリハビリ、また介護社会を考慮した場合、介護する第三者からの化粧がし易いことも重要である。
本発明の技術的課題は、このような問題に着目し、化粧部位が筆記具の持ち手などで隠れないように好みの部位に退避でき、更に安定良く精密な化粧ができ、また点や線、面といった自在な化粧ができる筆記具を実現することにある。
【課題を解決するための手段】
【０００５】
本発明の技術的課題は次のような手段によって解決される。請求項１は、インクを吸収して保持するインク保持部を合成樹脂から成る支持部で包囲し、楕円を含む円又は円の一部に外形を形成して成る筆記部を１以上有し、又は螺旋状に連続したインク出口を有する構造とし、前記インク保持部に接続したインク溜め部を有することを特徴とする筆記具である。インク保持部としては、例えば布や綿にインクをしみ込ませて保持することが可能であり、インク溜め部からインクが常に供給される繊維質が好適である。
【０００６】
請求項２は、前記筆記部の楕円を含む円又は円の一部が回転できる構造として、前記インク溜め部を有する軸体を、円筒体から成る把持部に挿入してなることを特徴とする請求項１に記載の筆記具である。
【０００７】
請求項３は、複数のインク保持部の外周に、インクを吸収して保持する面体を巻いて接続し、筆記部が面で接触して塗布する構成とし、又は前記筆記部の向きや角度を変えられるような自在手段を介在させてあることを特徴とする請求項１に記載の筆記具である。
【０００８】
請求項４は、前記インク保持部の外周を閉鎖している密閉面は、互いに独立した複数の突起を有し、それぞれの突起の先端からインクが出るように前記インク保持部と接続していることを特徴とする請求項１、請求項２又は請求項３に記載の筆記具である。各突起の先端からインクが出るので、点描が可能である。
【０００９】
請求項５は、インクの出口が螺旋状に連続した構造を製造するために、耐熱質の螺旋状芯の螺旋面を合成樹脂層で覆ってから前記耐熱芯を取り除き、螺旋状に形成された合成樹脂層の尖端を除去してインクの出口としたことを特徴とする螺旋状筆記部の製造方法である。
【発明の効果】
【００１０】
請求項１のように、インクを吸収して保持する機能を有する例えば布や綿にインクをしみ込ませたインク保持部を合成樹脂から成る支持板で包囲し、楕円を含む円又は円の一部に外形を形成して成る筆記部を１以上有しているので、一度に１以上の描線ができ、能率的である。なお、筆記部が単一の場合は、両支持板を軟質とした上で親指と人指し指で挟んで加圧すると、より細い線が描ける。又は、インク出口が螺旋状に平行しているので、斜めに複数の直線を同時に描ける。そして、前記インク保持部にインク溜め部が接続しているので、インク溜め部からインクが常時供給される。
【００１１】
請求項２のように、前記筆記部の楕円を含む円又は円の一部が円滑に回転できる構造として、前記インク溜め部を有する軸体を、円筒体から成る把持部に挿入してなるので、円筒体を強く把持しても、インク溜め部を有する軸体が筆記部と一緒に円滑に回転できる。あるいは、前記筆記部の向きや角度を好みに応じて自由に変えられるように、自在手段を持ち手に介在させてあるので、化粧作業が容易になる。円の一部が回転する構造の場合は、円の欠けた部位を指先で押さえて筆記圧を加えながら、回転力を加えることもできる。
【００１２】
請求項３のように、複数のインク保持部の外周に、インクを吸収して保持する面体を巻いて接続したので、筆記部が面で接触して塗布できる。自在手段としては、自由に変形できる柔軟材やゴム質を介在させたりボールジョイントで自在構造にしてもよい。その結果、図１〜図３のＴ状の首部を曲げてＴ状以外に変形させたり角度や向きを自分の好きな任意に変えたりもできる。
【００１３】
請求項４のように、前記インク保持部の外周を閉鎖している密閉面が、互いに独立した複数の突起を有し、それぞれの突起の先端からインクが出るように前記インク保持部と接続していて、前記各突起の尖端からインクが出るので、点描が容易である。
【００１４】
請求項５のように、インクの出口が螺旋状に連続した構造を製造するために、耐熱質の螺旋状芯の螺旋面を合成樹脂層で覆ってから前記耐熱芯を取り除き、螺旋状に形成された合成樹脂層の尖端を除去してインクの出口とするので、螺旋状に連続した形状にインクの出口を形成できる。その結果、螺旋状に傾斜した複数の直線を同時に描ける。
【図面の簡単な説明】
【００１５】
【図１】本発明による化粧用筆記具の平面図と正面図である。
【図２】図１の縦断面図である。
【図３】筆記部の外周に面体を巻いて接続した縦断面図である。
【図４】螺旋構造の筆記部の製法を示す断面図である。
【図５】螺旋構造の筆記部の完成状態を示す断面図である。
【図６】点描が可能な筆記部の製法を示すで断面図である。
【図７】点描が可能な筆記部の完成状態を示す断面図である。
【００１６】
次に本発明による化粧用筆記具が実際上どのように具体化されるか実施形態を説明する。図１は本発明による化粧用筆記具の平面図と正面図であり、図２はその縦断面図である。１は手で持つ持ち手であり、中はインク溜め２になっている。３がインクの出る筆記部であり、３組の円盤状31、32、33からなっている。各筆記部31、32、33はインクを吸収して保持するインク保持層41、42、43を合成樹脂板の支持層51、52、53で挟んでサンドイッチされ、インクの漏出を防いでいる。前記インク保持層41、42、43としては、例えば布地や綿のような繊維質などの材質が適している。各インク保持層41、42、43は、インク溜め２と供給路６で接続されていて、インクが常時補充される。
【００１７】
各筆記部31、32、33の外形は円形又は円形に近い楕円形でもよい。要するに、回転し易い形状であればよい。持ち手１は、筆記部３との間に、指が入る程度の窪みなどから成るストッパー７が形成されている。なお、図示例では、円盤状の筆記部は３組であるが、単一でも足りる。
【００１８】
今、窪み状のストッパー７に１本の指を挿入して筆記部３を軽く支持して安定させた状態で、筆記部３に持ち手１で回転力を与えると、３組の筆記部31、32、33が回転してインク保持層41、42、43の外周で３本の直線が描かれる。従って、筆記部３が２組であれば、同時に２本の直線が描かれる。前記窪み状のストッパー７の部分が塑性変形又はゴム質のように弾性変形する軟質な材質であると、窪み状のストッパー７を支点にして自由に好みの向きや角度に変えられるので、化粧作業が自由にかつ容易になる。この窪み状の数は任意であり、挿入する指の数に合わせる。
【００１９】
強固に把持して正確に筆記部を回転させる必要が有る場合は、図１のように、円筒体Ｃに前記インク溜め２の有る持ち手１を挿入すると、円筒体Ｃを強く把持しても、中の持ち手１は筆記部３と共に回転できる。さらに円滑かつ正確に回転させたい場合は、持ち手１の外径と円筒体Ｃの内径とが密に接すると共に間にオイルなどの潤滑材を塗布し、円筒体Ｃと持ち手１とが相対直線移動できないように前記持ち手１の両端にピンＰ、Ｐを挿通しておくだけで足りる。なお、相対移動をさらに少なくし、筆記部３の回転を円滑にしたい場合は、スラストベアリングを併用するとよい。
【００２０】
図３は、筆記部をより広くする場合であり、図は三つ（隣接する二つ又は四つ以上でもよい）のインク保持層41、42、43の外周に、同じ材質の一定幅の帯布44を巻き付けて接着してあり、帯布44の面でインクを塗布し筆記できるので、広い面にインクを塗布できる。
【００２１】
図４は以下は拡大して誇張した表現である。図４は筆記部３を回転して点描ができる筆記部の製法を示す断面図であり、独立した金属山状１２を形成した組立構造の金属筒１３を、溶けた合成樹脂に浸漬してから引き上げると、合成樹脂の膜１４ができる。最後に冷却して金属筒１３、１２を分解して除去すると、図５のように合成樹脂の膜１４が円筒状の空洞と成って残る。そして、治具Ｂで保持した状態で鎖線１０の位置までグラインダーなどで研削して削ると、インクの出口１５が点状に開くので、独立した各山状の中にインクをしみ込ませた綿や布を押し込んで前記インク保持部41、42、43の外周と接続する。そして、この合成樹脂筒の空洞膜１４で、インク保持部の外周を密閉閉鎖するように接着剤で貼り付け固定すると、互いに独立した複数の突起１４がランダムに配設された各尖端出口１５からインクがドット状に出る。従って、筆記部を回転させると、点描が可能となる。
【００２２】
次に、筆記部のインク出口が螺旋状に連続した構成の製法を図示する。図６は断面図であり、先ず溶けた合成樹脂液の中に、加熱した金属製の螺旋状芯８を浸漬して螺旋状の外面に合成樹脂が付着して膜９が出来た状態で、持ち上げて冷ますと合成樹脂の膜９が出来る。金属の熱膨張率が大きいので、冷ますと金属の芯８が収縮して、容易に合成樹脂層９と分離でき、螺旋状の合成樹脂膜９のみが残る。その結果、合成樹脂の螺旋状の空洞ができるので、この空洞の所々に接着剤を塗布してバラバラに分解するのを阻止した状態で、円柱状の治具Ｂを挿入して保持した状態で回転させ、グラインダーで鎖線１０の位置まで研削して削ると、螺旋状のインク出口１１が開いた合成樹脂膜９１ができる。従って、前記治具Ｂを抜き取って、最後に綿や布などを詰め込んでから、インクをしみ込ませて前記インク保持層41、42、43の外周に押圧させると完成である。従って、前記インク保持層41、42、43の外周の寸法より、螺旋状の内径の寸法が僅かに大きく、図７の螺旋状の合成樹脂空洞膜９１の中に図１の円形のインク保持部41、42、43の外周が入る寸法である。
合成樹脂の円筒を図６の金属芯８に被せて公知の手法で熱湯をかけ、合成樹脂円筒を熱収縮させてから冷ますと、金属芯８を分離除去した後に合成樹脂の空洞層91内の所々に接着剤を塗布してバラバラに分解するのを阻止した状態で、治具Ｂを挿通し保持して、図７と同様に螺旋状の尖端を研削して除去し、インクの出口11を螺旋状に開けてもよい。図４、図５の複数の突起がランダムに配設された点描構造を製造する場合も同じ手法が可能である。
【産業上の利用可能性】
【００２３】
以上のように、化粧用の筆記部を回転可能な円形に形成し、１以上設けると、一度に１以上の線を描いたり、点を描いたり面を塗布したり、螺旋状に傾斜した線を描くこともできる。しかも、持ち手と直角に筆記部が形成されているので、筆記部位が手で隠れることは無く、また能率良く楽に、安定性の良い化粧操作ができる。
【符号の説明】
【００２４】
１  持ち手
２  インク溜め
３  インクの出る筆記部
31、32、33  円盤状の筆記部
４  インク保持部
41、42、43  インク保持層
51、52、53  合成樹脂板から成る支持層
６  インク供給路
７  ストッパー
８  金属製の螺旋状芯
９  合成樹脂の膜
91  合成樹脂膜
11  螺旋状のインク出口
12  独立した山状
13  金属筒
14  独立した山状の合成樹脂膜
15  インクの出口尖端
【図１】
2019150573.tif 000003
【図２】
2019150573.tif 000004
【図３】
2019150573.tif 000005
【図４】
2019150573.tif 000006
【図５】
2019150573.tif 000007
【図６】
2019150573.tif 000008
【図７】
2019150573.tif 000009